(57)【要約】  【課題】  預貯金の通帳や証券など、固有の識別情報を備えた定型物品を安全に預託できるとともに、預託や排出の手続を利用者自らが簡単に行うことのできる物品預かり機を提供する。  【解決手段】  物品預かり機１は、筐体１０の外面に指紋ボタン１５とカメラ１６を備え、筐体１０の内部には入出機構部２０、磁気リーダー２２、収納部３０、及び搬送装置４０を備える。指紋ボタン１５及びカメラ１６を通じて読み取った預託者の生体情報と、通帳２の識別情報とを関連づけて登録を行う。登録後の通帳２は搬送装置４０によりいずれかの収納ボックス３２に収納する。生体情報により本人確認ができた預託者から通帳２の排出要求があったときは、物品収納情報記憶部７２から収納場所情報を読み出し、搬送装置４０に通帳２の取り出しと入出機構部２０への引き渡しを行わせる。【選択図】      図３
2005139621.tif 000002
【特許請求の範囲】
【請求項１】
固有の識別情報を備えた定型物品を預かる物品預かり機にして、以下の構成を備えたもの：
（ａ）物品の識別情報を読み取る物品識別情報読取手段
（ｂ）預託者であるか否かを識別するための預託者識別情報を入力する情報入力手段
（ｃ）前記物品識別情報と預託者識別情報とを関連付け、預託者登録情報として記憶する預託者登録情報記憶手段
（ｄ）物品を機内へ取り込んで収納部へ収納するとともに、この収納部から物品を取り出し機外へ排出する物品収納取出手段
（ｅ）前記収納部に収納した物品の識別情報と、この物品の収納場所とを関連付け、物品収納情報として記憶する物品収納情報記憶手段
（ｆ）各種操作を指示あるいは選択するための操作手段
（ｇ）預託者が前記操作手段を通じて行った排出要求を受け、前記情報入力手段により入力された預託者識別情報と前記預託者登録情報とを照合し、預託者として登録されているか否かを判断する預託者照合手段
（ｈ）前記預託者照合手段による照合の結果、預託者として登録されていると判断された場合に、前記物品収納情報記憶手段の記憶情報に基づいて、排出要求のあった物品を機外に排出するよう前記物品収納取出手段を制御する制御手段。
【請求項２】
前記預託者識別情報が生体情報であることを特徴とする請求項１に記載の物品預かり機。
【請求項３】
物品の態様が通帳であり、前記収納部は通帳を重ねた状態で収納するものであることを特徴とする請求項１又は２に記載の物品預かり機。
【請求項４】
物品の態様が紙葉であり、前記収納部は前記紙葉をテープ間に巻き込んで収納するものであることを特徴とする請求項１又は２に記載の物品預かり機。
【請求項５】
預かり物品に対し不法アクセスが試みられたとき、当該物品の利用システムにその旨を通報する警報装置を備えることを特徴とする請求項１〜４のいずれか１項に記載の物品預かり機。
【発明の詳細な説明】
【技術分野】
【０００１】
本発明は定型の重要物品、例えば預金や貯金の通帳、証券などを預託する物品預かり機に関する。
【背景技術】
【０００２】
預貯金の通帳や証券類を手元に置いておくのに不安を感じ、セキュリティ体制の整備された機関に預けたいという人は多い。このような要請に応えるため、多くの金融機関は貸金庫を備えている。しかしながら現在の貸金庫システムには、賃借コストが高いとか、預けたいものの体積に比較して金庫ボックス容積が大きすぎる、また運用形態によっては物品の出し入れに金融機関従業員の手を煩わさなければならないといったデメリットがある。金融機関の側においても、地価コストを考えた場合、貸金庫は収益手段としてそれほど魅力のあるものではない。また物品の出し入れ要求があった場合、本人確認や金庫ボックスの出し入れに人手を割かねばならず、人的コストが馬鹿にならない。
【０００３】
貸金庫以外の物品預かりシステムとして、特許文献１に記載されたものがある。特許文献１に記載された装置は、、銀行の各営業店において顧客から重要証券（通帳、証書、キャッシュカード等）を預かり、これを管理する。
【特許文献１】特開平５−３０３６７５号公報（第２−３頁、図１）
【発明の開示】
【発明が解決しようとする課題】
【０００４】
特許文献１記載の装置は、顧客から重要証券を預かる際に手書帳簿に記入する必要がなく、業務を省力化することができる。しかしながら重要証券の受け渡し自体は顧客と金融機関従業員との間の手渡しによることになる。また重要証券をどのように保管するかについては、具体的な提案はない。
【０００５】
本発明は上記の点に鑑みてなされたものであり、預貯金の通帳や証券など、固有の識別情報を備えた定型物品を安全に預託できるとともに、預託や排出の手続を預託者自身の操作により簡単に行うことができる物品預かり機を提供することを目的とする。また、預託者本人以外の者が物品を不正に取得することのできない物品預かり機を提供することを目的とする。
【課題を解決するための手段】
【０００６】
本発明では、固有の識別情報を備えた定型物品を預かる物品預かり機が、次の構成を備えるものとした。すなわち、物品の識別情報を読み取る物品識別情報読取手段と、預託者であるか否かを識別するための預託者識別情報を入力する情報入力手段と、前記物品識別情報と預託者識別情報とを関連付け、預託者登録情報として記憶する預託者登録情報記憶手段と、物品を機内へ取り込んで収納部へ収納するとともに、この収納部から物品を取り出し機外へ排出する物品収納取出手段と、前記収納部に収納した物品の識別情報と、この物品の収納場所とを関連付け、物品収納情報として記憶する物品収納情報記憶手段と、各種操作を指示あるいは選択するための操作手段と、預託者が前記操作手段を通じて行った排出要求を受け、前記情報入力手段により入力された預託者識別情報と前記預託者登録情報とを照合し、預託者として登録されているか否かを判断する預託者照合手段と、前記預託者照合手段による照合の結果、預託者として登録されていると判断された場合に、前記物品収納情報記憶手段の記憶情報に基づいて、排出要求のあった物品を機外に排出するよう前記物品収納取出手段を制御する制御手段とを備えるものとした。
【０００７】
また本発明では、前述のように構成された物品預かり機において、前記預託者識別情報が生体情報であるものとした。
【０００８】
また本発明では、前述のように構成された物品預かり機において、物品の態様が通帳であり、前記収納部は通帳を重ねた状態で収納するものであるものとした。
【０００９】
また本発明では、前述のように構成された物品預かり機において、物品の態様が紙葉であり、前記収納部は前記紙葉をテープ間に巻き込んで収納するものとした。
【００１０】
また本発明では、前述のように構成された物品預かり機において、預かり物品に対し不法アクセスが試みられたとき、当該物品の利用システムにその旨を通報する警報装置を備えるものとした。
【発明の効果】
【００１１】
物品固有の識別情報と、預託者識別情報とを関連づけた登録を行い、登録後の物品の排出要求があったときはその時点で入力された預託者識別情報と預託者登録情報とを照合し、預託者として登録されていると判断された場合のみ、排出要求のあった物品を排出するものであるから、第三者が不正に物品を取得することができない。従って重要物品を安心して預託することができる。また、預託者自身の操作により登録や排出の手続を進められるので、預託者のプライバシーを守りつつ、手続を簡便に遂行することができる。物品預かり機を設置した事業体にとっても、従業員が手をとられずに済むので人的コストがかからないというメリットがある。
【００１２】
また、預託者の生体情報を預託者識別情報としたので、預託者以外の者が印鑑の印影を偽造するなどして物品を不正に取得するということができず、きわめて安全である。
【００１３】
また、物品の態様が通帳であり、収納部には通帳を重ねた状態で収納することとしたので、収納部の限られた空間に通帳をびっしりと詰め込み、収容量を大きくすることができる。
【００１４】
また、物品の態様が紙葉であり、収納部には紙葉をテープ間に巻き込んで収納することとしたので、紙葉を傷めることなく安全に収納できる。
【００１５】
また、預かり物品に対し不法アクセスが試みられたときには、警報装置が当該物品の利用システムにその旨を通報するから、物品の発行管理者はその物品の利用差止処置をとることが可能である。これにより、万一物品が盗み出されたとしても、物品が利用されて預託者が損害を被るという事態を回避することができる。
【発明を実施するための最良の形態】
【００１６】
以下、本発明の第１実施形態を図１〜１６に基づき説明する。第１実施形態の物品預かり機は預貯金の通帳を預かる通帳預かり機である。
【００１７】
最初に、図１〜３に基づき物品預かり機１の機構部分の構成を説明する。図１は正面側からの外観斜視図、図２は背面側からの外観斜視図、図３は垂直断面図である。
【００１８】
物品預かり機１は直方体形状の筐体１０を備える。筐体１０は前蓋１０ａ、本体１０ｂ、後蓋１０ｃを組み合わせて構成される。前蓋１０ａ、本体１０ｂ、後蓋１０ｃはいずれも鋼板からなる。図２には後蓋１０ｃを取り除いた状態が示されている。
【００１９】
前蓋１０ａには、成人が手を載せて操作するのが容易な高さのところに、水平なカウンターシェルフ１１が形成されている。カウンターシェルフ１１からその上の前蓋１０ａの垂直壁にかけて、パネル部１２が設けられる。パネル部１２の垂直部分の上部にはタッチパネル式ディスプレイ１３が配置される。タッチパネル式ディスプレイ１３は各種操作を指示あるいは選択するための操作手段として機能するものであり、各種の文字情報や図形情報を表示する平面ディスプレイに、指で触れて操作を行う透明なタッチパネルが組み合わされている。
【００２０】
タッチパネル式ディスプレイ１３の下方には水平スロット状の通帳出し入れ口１４が配置される。パネル部１２の水平部分には指紋ボタン１５が配置される。指紋ボタン１５は後述する指紋情報取得装置のセンサ部分を内蔵している。パネル部１２の上方には物品預かり機１の正面に立った人物の顔を撮影するカメラ１６が配置されている。
【００２１】
筐体１０の内部には通帳の機内への取り込み及び収納場所への収納と、収納場所からの取り出し及び機外への排出を行う物品収納取出手段が設けられている。物品収納取出手段を構成するのは入出機構部２０及び搬送装置４０である。
【００２２】
入出機構部２０は通帳出し入れ口１４を入口とするものであり、上下対をなす搬送ベルト２１ａ、２１ｂを備えている。搬送ベルト２１ａ、２１ｂは互いに平行して水平方向に延びるとともに、図示しないばねにより互いに圧接する方向に付勢されている。図示しないモータが搬送ベルト２１ａ、２１ｂを駆動し、通帳２の筐体１０内への取り込みと、筐体１０からの通帳２の排出を行う。
【００２３】
下側の搬送ベルト２１ｂと並ぶように、通帳２の固有の識別情報を読み取る物品識別情報読取手段が配置されている。通帳２の固有識別情報は通帳２の下面に形成された磁気ストライプであり、物品識別情報読取手段は磁気ストライプから情報を読み取る磁気リーダー２２である。また前蓋１０ａの内面には、通帳出し入れ口１４から通帳２が挿入されたことを検知する通帳センサ２３が取り付けられる。
【００２４】
筐体１０は内部に通帳２の収納部３０を有する。収納部３０は複数の収納ユニット３１を垂直面内でマトリックス状に並べた構成である。収納ユニット３１は、後面が開口した直方体形状の収納ボックス３２と、その中に入れられるウェイト板３３により構成される。収納ボックス３２の中には通帳２が重ねた状態で収納される。
【００２５】
収納部３０の背後には、入出機構部２０が取り込んだ通帳２の収納部３０に収納し、また収納部３０から通帳２を取り出して入出機構部２０に引き渡す搬送装置４０が配置される。搬送装置４０は二つの部分からなる。すなわち後述する通帳ピックアップ機構を内蔵したピックアップボックス６０と、ピックアップボックス６０を垂直面内で二次元的に移動させる移動機構部５０である。
【００２６】
移動機構部５０は、ピックアップボックス６０に垂直方向の動きを与える要素と、ピックアップボックス６０に水平方向の動きを与える要素を組み合わせて構成される。ピックアップボックス６０に垂直方向の動きを与える要素は、筐体１０の左右の壁の内面に近接させて配置した垂直な送りねじ５１である（図２には一方の送りねじ５１のみ示す）。送りねじ５１に回転を与えるのは送りねじ５１にベルト５２（図３参照）を介して連結されたモータ５３である。送りねじ５１が回転すると、そのナット部分を内蔵するエレベータ５４が昇降する。
【００２７】
左右のエレベータ５４の間に２本のロッド５５ａ、５５ｂが水平に架設され、ピックアップボックス６０はこのロッド５５ａ、５５ｂに支持されている。ロッド５５ａ、５５ｂのうち一方は送りねじとなっており、この送りねじを図示しないモータで回転させることにより、ピックアップボックス６０に水平方向の動きが与えられる。この水平方向の動きと、送りねじ５１による垂直方向の動きとが相まって、ピックアップボックス６０は垂直面内で二次元的に移動する。
【００２８】
続いてピックアップボックス６０の内部構造を説明する。通帳ピックアップ機構の主要部分を構成するのは、ほぼ水平な２枚の金属板を上下に並べた形のトング６１と、トング６１を開閉させるモータ６２と、トング６１を水平方向に前進又は後退させるレバー６３と、レバー６３を回動させるモータ６４である。
【００２９】
トング６１の上トング板６１ａと下トング板６１ｂは基端をベースブロック６１ｃに支持され、この支持部を支点として垂直面内で回動する。上トング板６１ａと下トング板６１ｂの自由端は前蓋１０ａの方を向く。ピックアップボックス６０の内部には下トング板６１ｂの自由端側を支えるローラ６５が配設される。上トング板６１ａの基端は直角に折り曲げられ、この部分に、モータ６２の軸に固定された偏心カム６６が係合する。なおモータ６２はトング６１に追随して前進、後退する。
【００３０】
レバー６３は下端を支点として垂直面内で回動するものであり、その上端はトング６１のベースブロック６１ｃに連結する。レバー６３の下端には歯車６７が固定され、この歯車６７に、モータ６４の軸に固定された歯車６８がかみ合う。
【００３１】
ピックアップボックス６０の内部には、トング６１によってピックアップボックス６０の内部に引き込まれた通帳２の先端を検知する通帳センサ６９が配置される。通帳センサ６９は通帳センサ２３と同様のものである。
【００３２】
物品預かり機１の回路ブロックの構成を図１３に示す。全体制御を司る制御手段である制御装置７０は、サブシステムとして預託者登録情報記憶手段である預託者登録情報記憶部７１、物品収納情報記憶手段である物品収納情報記憶部７２、預託者照合手段である預託者照合部７３、及び機構部分の動作を司る動作制御部７４を備える。制御装置７０には、タッチパネル式ディスプレイ１３、入出機構部２０、磁気リーダー２２、搬送装置４０の他、指紋ボタン１５を構成要素に含む指紋情報取得装置７５、カメラ１６を構成要素に含む顔情報取得装置７６、及び警報装置７７と電源７８が接続される。
【００３３】
指紋情報取得装置７５と顔情報取得装置７６は、預託者識別情報を入力する情報入力手段として機能する。警報装置７７は、預かっている通帳２に不正アクセスが試みられたとき、通帳２の発行元にその旨を通報するものである。
【００３４】
次に、物品預かり機１の動作を説明する。主に図３〜１２の垂直断面図と図１４〜１６のフローチャートに基づき説明を行う。
【００３５】
まず図１４により通帳２の登録の流れを説明する。物品預かり機１に通帳２を預託することを希望する利用者は、タッチパネル式ディスプレイ１３に表示されている初期画面のメニューの中から「登録」のキーアイコンを選び、指でタッチする（ステップ＃１０１）。これにより物品預かり機１は登録モードになる。なお預かる通帳２は、物品預かり機１を設置した事業体が金融機関である場合、その金融機関の発行した通帳に限定することもできるし、他の金融機関の発行した通帳も可とすることもできる。
【００３６】
登録モードにすると、タッチパネル式ディスプレイ１３に預託契約の条件や預託料課金についての説明が表示される。表示は音声と併用してもよい。預託者（ここからは利用者のことをこのように呼ぶ）はその説明を読んで（聞いて）契約に納得したら画面の指示あるいは音声に従ってタッチパネル式ディスプレイ１３上で操作を行い、登録手続を進める。
【００３７】
登録には預託者識別情報の入力が必要である。預託者識別情報としては、パスワードや暗証番号なども考えられるが、ここでは生体情報を使用する。登録手続の中に指紋ボタン１５を押すステップ（ステップ＃１０２）がある。指紋ボタン１５が押されると、指紋情報取得装置７５は指紋ボタン１５を押した指から指紋情報を読み取る。また顔情報取得装置７６はカメラ１６で預託者の顔を撮影して顔情報を読み取る（ステップ＃１０３）。読み取った指紋情報と顔情報は制御装置７０内のＲＡＭに一時的に記憶させる（ステップ＃１０４）。
【００３８】
指紋情報、顔情報という預託者の生体情報を一時記憶した後、物品預かり機１は預託者に通帳２を通帳出し入れ口１４に入れるよう促す。預託者は図３のように通帳出し入れ口１４に通帳２を入れる（ステップ＃１０５）。通帳２の先端が搬送ベルト２１ａ、２１ｂに届くと、通帳センサ２３がこれを検知する。通帳センサ２３からの検知情報に基づき動作制御装置７３は搬送ベルト２１ａ、２１ｂを回転させる。搬送ベルト２１ａ、２１ｂは通帳２を筐体１０の中に取り込む。磁気リーダー２２は取り込まれた通帳２から識別情報を読み取る（ステップ＃１０６）。預託者登録情報記憶部７１は通帳２の識別情報と預託者識別情報（指紋情報、顔情報）とを関連付け、預託者登録情報として登録を行い、その結果を記憶する（ステップ＃１０７）。
【００３９】
登録後、搬送ベルト２１ａ、２１ｂは逆回転し、通帳２を通帳出し入れ口１４から排出して一旦預託者に返却する（ステップ＃１０８）。これで登録手続が完了する。
【００４０】
図１４のフローでは利用者が最初から最後まで独力で登録手続を行うことになっているが、一部の手続、例えば登録作業の開始手続に物品預かり機設置事業体の従業員を介在させることもできる。この場合は物品預かり機１に係員の持つ専用キーを差し込んで登録モードにモード変更するなどの手続が進められる。以後は利用者がタッチパネル式ディスプレイ１３の表示に従って操作を進める。登録が完了し、通常の利用モードに戻るときにも専用キーが必要であることとすることも可能である。
【００４１】
また図１４のフローでは登録終了後に通帳２が一旦預託者に返却されることになっているが、返却する前に預託者に対し「通帳をこのまま預託しますか」との問いかけをし、預託者が「このまま預託」を選択した場合には返却することなく図１５で説明する預託手続に進むようにすることもできる。
【００４２】
続いて図１５により通帳２の預託の流れを説明する。通常の利用モードの物品預かり機１において、タッチパネル式ディスプレイ１３の初期画面メニューで「預託」を選択する（ステップ＃２０１）。物品預かり機１は預託者に通帳２を通帳出し入れ口１４に入れるよう促す。預託者が登録済みの通帳２を入れると（ステップ＃２０２）、搬送ベルト２１ａ、２１ｂが回転して通帳２を取り込み、磁気リーダー２２に通帳２の識別情報を読み取らせる（ステップ＃２０３）。その通帳２が登録済みの通帳（以下「登録通帳」と呼ぶ）であるかどうかを調べ（ステップＳ２０４）、登録通帳であると確認できたら次のステップ（ステップＳ２０５）に進む。登録通帳でないことが判明したら搬送ベルト２１ａ、２１ｂを逆回転させて通帳２を排出し、利用者に返却する（ステップＳ２０７）。前述のように登録手続の最後で「このまま預託」を選択した場合には、ステップ＃２０１〜＃２０４を省いて直ちにステップ＃２０５に進む。
【００４３】
ここで通帳２の収納部３０への収納について説明する。図３のように、トング６１を入出機構部２０に向かい合わせる位置がピックアップボックス６０のホームポジションである。搬送ベルト２１ａ、２１ｂの保持する通帳２が登録通帳であることが確認できたら、モータ６２が偏心カム６６を回転させ、上トング板６１ａの自由端を少し持ち上げる。すなわちトング６１を開いた状態にする。
【００４４】
ここでモータ６４がレバー６３を回動させ、トング６１を前進させる（図４参照）。搬送ベルト２１ａ、２１ｂは通帳２の左右両端を挟むように左右に分離して設けられており、その間の空間にトング６１が進出する。上トング板６１ａと下トング板６１ｂの間に通帳２が入った後、搬送ベルト２１ａ、２１ｂはあと少し回転し、上トング板６１ａと下トング６１板ｂの間の所定深さまで通帳２を押し込む。それからモータ６２が偏心カム６６を再度回転させる。これにより上トング板６１ａが下がり、下トング板６１ｂとの間で通帳２を挟みつける。この状態でモータ６４がレバー６３を回動させ、トング６１をピックアップボックス６０の中に引き戻す（図５参照）。搬送ベルト２１ａ、２１ｂは通帳２を送り出すように回転する。
【００４５】
搬送装置４０は、動作制御部７４からの指令を受け、空きスペースのある収納ボックス３２に並ぶ位置にピックアップボックス６０を移動させる（図６参照）。この収納ボックス３２に積み重ね状態で収納されている通帳２のうち、最上段に位置するものの上に新しい通帳２が置かれることになるようにピックアップボックス６０の高さを調整する。
【００４６】
トング６１はウェイト板３３の下に差し込まれるものであり、ウェイト板３３はトング６１を迎え入れやすいように先端が斜め上に折曲されている。ピックアップボックス６０の高さを決めるにあたっては、センサ６９でウェイト板３３を検出し、そのウェイト板３３の高さを基準とするのがよい。
【００４７】
ピックアップボックス６０の位置が決まった後、モータ６４によりレバー６３を回動させ、トング６１をウェイト板３３の下に突き入れる（図７参照）。この後トング６１を開いて引き抜けば、トング６１が保持していた通帳２は通帳の重なりの頂部に残る。トング６１につられて通帳２が出てこないよう、ウェイト板３３は通帳２の左右の端を押さえている。ウェイト板３３自身も、収納ボックス３２の中で上下することはできるが、収納ボックス３２から抜け出すことのない構造になっている。
【００４８】
このようにして通帳２の収納を終えた（ステップ＃２０５）後、搬送装置４０はピックアップボックス６０をホームポジションに戻す。物品収納情報記憶部７２は、収納した通帳２の識別情報と、収納場所情報、すなわち収納ボックス３２のボックス番号及び収納ボックス３２内における積み重ねの段の位置とを関連付け、物品収納情報として記憶する（ステップ＃２０６）。
【００４９】
続いて図１６により通帳２の排出の流れを説明する。預託した通帳２の排出を要求する預託者は、操作／表示パネル１３の初期画面メニューで「排出」を選択する（ステップ＃３０１）。するとタッチパネル式ディスプレイ１３に操作の指示が表示される。指示に従い図８のように指紋ボタン１５を押す（ステップ＃３０２）。指紋ボタン１５を押すと、指紋情報取得装置７５は指紋情報を取得し、顔情報取得装置７６は顔情報を取得する（ステップ＃３０３）。
【００５０】
ここで預託者照合部７３が、取得したばかりの指紋情報及び顔情報と、預託者登録情報記憶部７１に記憶させてあった指紋情報及び顔情報との照合を行う（ステップ＃３０４）。
【００５１】
続いて取得した顔情報を記憶する（ステップ＃３０５）。このステップの記憶は防犯カメラによる映像の記録と同じような意味を持つ。記憶には、預託者登録情報記憶部７１とは別の図示しない記憶部を用いる。
【００５２】
ステップ＃３０４の照合の結果、排出要求をしたのが預託者本人であるということが確認できれば、物品収納情報記憶部７２から物品収納情報が読み出される。動作制御部７４は搬送装置４０に指令を出し、ピックアップボックス６０を排出要求のあった通帳２を収納した収納ボックス３２へと向かわせる（図９参照）。
【００５３】
ピックアップボックス６０が目標の収納ボックス３２に並ぶ位置に到着した後、トング６１が目標とする通帳２と水平に整列するよう、ピックアップボックス６０の位置の微調整を行う。トング６１の位置決めは、収納ボックス３２の中でまずウェイト板３３を探し、ウェイト板３３を探し当てたらそれを基準として通帳２の位置を探索するという手順で行う。
【００５４】
目標の通帳２にトング６１を向かい合わせたらトング６１を前進させ、通帳２を挟ませる（図１０参照）。通帳２を挟んだ状態でトング６１を引き抜くと、その上にあった通帳２とウェイト板３３はダルマ落としの要領で落下する（図１１参照）。落下した通帳２は収納場所情報が１段下にずれるので、物品収納情報記憶部７２の物品収納情報を更新する。搬送装置４０はピックアップボックス６０をホームポジションに戻し、取り出した通帳２を入出機構部２０に引き渡す（ステップ＃３０６）。
【００５５】
入出機構部２０では通帳２の識別情報を読み取る（ステップ＃３０７）。読み取った識別情報と、預託者登録情報記憶部７１に記憶させてあった登録情報とを照合し（ステップ＃３０８）、一致すれば搬送ベルト２１ａ、２１ｂを回転させて通帳２を排出し、預託者に排出する（ステップ＃３０９：図１２参照）。
【００５６】
ステップ＃３０８において、通帳２の識別情報が登録情報と一致しなければ、エラーとして処理する（ステップ＃３１０）。すなわちタッチパネル式ディスプレイ１３にエラー表示を出すとともに、必要があれば係員にも報知する。
【００５７】
本実施形態において、磁気リーダー２２が置かれているのは入出機構部２０の箇所のみである。従って、収納ボックス３２内の通帳２をその都度入出機構部２０まで運び、識別情報を調べることになる。この不便さを解消するため、ピックアップボックス６０の中にもう一つの磁気リーダー２２を設けてもよい。このようにすれば、トング６１が収納ボックス３２から通帳２を取り出したその場で識別情報を調べることができる。
【００５８】
また本実施形態では物品収納取出手段が入出機構部２０と搬送装置４０とに分かれているが、入出機構部２０とピックアップボックス６０を統合することもできる。すなわち搬送装置４０の側に入出機構部２０の機能を持たせることも可能である。
【００５９】
また、物品預かり機１に記帳機を内蔵させることもできる。このようにすれば、預託あるいは排出の機会をとらえて通帳２に記帳するという使い方が可能になる。
【００６０】
もしも、筐体１０をこじ開けようとする試みがなされたときは、警報装置７７がアラームを鳴らし、警備会社又は警察に通報する。同時に、通帳２の発行元である金融機関にも通報する。これを受け、金融機関では勘定系システムを操作して通帳２の利用差止処置をとることができる。従って、筐体１０のこじ開けが成功し、通帳２が盗み出されてしまっても、預貯金の引き出しを未然に防ぐことができる。
【００６１】
さらに、勘定系システムとの連係で言えば、正規の手続を経て、すなわち預託者本人が本人確認の手続を経て取り出した通帳２でないかぎり、出金手続ができないようにすることもできる。これにより、誰かが専用キーを入手し、警報装置７７を作動させることなく筐体１０を開けて通帳２を取り出すことに成功したとしても、預貯金の引き出しを阻止できる。
【００６２】
本実施形態では、預託者の識別情報として預託者の生体情報（バイオメトリクス）を用いている。生体情報としては指紋情報及び顔情報を採用したが、別の生体情報（虹彩の模様や血管のパターンなど）を採用することもできる。ただし顔情報を識別情報とし、取引毎に記憶するものとすれば、預託者になりすまして通帳を不正取得しようとする第三者に対し、顔をさらさねばならないという心理的圧迫を加え、犯罪行為の未然防止につなげることができる。また犯罪が起こってしまった後の捜査にも、記憶した顔情報を役立てることができる。
【００６３】
次に、図１７に基づき本発明の第２実施形態を説明する。図１７は物品預かり機の概念的構成図である。
【００６４】
第２実施形態の物品預かり機１ａは、態様が紙葉である物品、例えば証券類を預かるものである。物品預かり機１ａは筐体１０ａの外部にカウンターシェルフ１１ａ、内部に物品識別情報読取手段を有する。カウンターシェルフ１０ａ及びその上のパネル部の構成は第１実施形態と同様であるが、物品識別情報読取手段の仕組みは第１実施形態とは異なる。すなわち、第１実施形態の物品識別情報読取手段は磁気リーダーであったのに対し、第２実施形態の物品識別情報読取手段はは紙葉の表面に印字された文字を読み取るＯＣＲ（optical character reader）２２ａとなっている。
【００６５】
物品預かり機１ａの収納部３０ａに配置された複数の収納ユニット８０は、テープの間に紙葉を巻き込んで収納する。すなわちＯＣＲ２２ａを通った紙葉はベルト９０により筐体１０ａの中を運ばれるが、収納場所として指定された収納ユニット８０に差し掛かると、切換爪８１が動いて収納ユニット８０の方へと紙葉を誘導する。収納ユニット８０に入った紙葉は、繰り出しリール８２、８３から繰り出されたテープ８４、８５の間に挟み込まれ、巻き取りリール８６に巻き取られる。紙葉の収納場所情報の構成要素は、収納ユニット８０の番号と、テープ８４、８５の中における順序ということになる。このような収納方式は広く実用化されており、文献では特開平８−９６１９１号公報や特開平１１−１２０４１３号公報にその例を見ることができる。
【００６６】
収納ユニット８０の中の紙葉を排出するときは、テープ８４、８５を収納時と逆の方向に巻き取って紙葉を吐き出させ、同じく収納時と逆方向に走行するベルト９０に引き渡す。目標とする紙葉が最初に出てくればよいが、通常はそうではなく、無関係の紙葉を何枚か吐き出した後に目標の紙葉が出てくる。目標の紙葉に辿りつくまでに吐き出された紙葉は、ＯＣＲ２２ａに最も近い場所に置かれた一時保管用の収納ユニット８０ａに取り込まれる。収納ユニット８０ａの切換爪８１ａは他の切換爪８０と向きが逆になっており、ＯＣＲ２２ａに向かう紙葉をベルト９０から分離して収納ユニット８０ａに誘導する。
【００６７】
目標の紙葉の排出が完了した後、収納ユニット８０ａは一時保管していた紙葉を吐き出す。吐き出された紙葉は元の収納ユニット８０に戻る。この時紙葉の収納順序がずれるので、物品収納情報を更新する。
【００６８】
物品が紙葉である場合、セキュリティのための識別情報としては文字以外にも様々なものが用いられる。パンチングホール、バーコード、ホログラム、蛍光インクなどである。このような場合、用いられる識別情報の種類に応じた物品識別情報読取手段を用意し、ＯＣＲ２２ａに代え、あるいはＯＣＲ２２ａと共に配置する。
【００６９】
以上本発明の実施形態につき説明したが、この他、発明の主旨から逸脱しない範囲で種々の改変を加えて実施することができる。また、定型かつ識別情報を備えた容器を用意し、この容器の中に物品を収めて預託するものとすれば、定型を有しない物品の預託も可能になる。
【産業上の利用可能性】
【００７０】
本発明は、通帳、証券、クレジットカードと言った、固有の識別情報を有する定型物品を預託する機械にに広く利用可能である。
【図面の簡単な説明】
【００７１】
【図１】物品預かり機の正面側からの外観斜視図
【図２】物品預かり機の背面側からの外観斜視図
【図３】物品預かり機の垂直断面図
【図４】図３と異なる状態を示す垂直断面図
【図５】図４と異なる状態を示す垂直断面図
【図６】図５と異なる状態を示す垂直断面図
【図７】図６と異なる状態を示す垂直断面図
【図８】図７と異なる状態を示す垂直断面図
【図９】図８と異なる状態を示す垂直断面図
【図１０】図９と異なる状態を示す垂直断面図
【図１１】図１０と異なる状態を示す垂直断面図
【図１２】図１１と異なる状態を示す垂直断面図
【図１３】回路ブロック図
【図１４】第１の動作フローチャート
【図１５】第２の動作フローチャート
【図１６】第３の動作フローチャート
【図１７】第２実施形態に係る物品預かり機の概念的構成図
【符号の説明】
【００７２】
１    物品預かり機
２    通帳
１０  筐体
１１  カウンターシェルフ
１２  パネル部
１３  タッチパネル式ディスプレイ
１５  指紋ボタン
１６  カメラ
２０  入出機構部
２２  磁気リーダー
３０  収納部
３１  収納ユニット
４０  搬送装置
７０  制御装置
７１  預託者登録情報記憶部
７２  物品収納情報記憶部
７３  預託者照合部
７４  動作制御部
７５  指紋情報取得装置
７６  顔情報取得装置
７７  警報装置
１ａ  物品預かり機
１０ａ  筐体
１１ａ  カウンターシェルフ
２２ａ  ＯＣＲ
３０ａ  収納部
８０  収納ユニット
８４、８５  テープ
【図１】
2005139621.tif 000003
【図２】
2005139621.tif 000004
【図３】
2005139621.tif 000005
【図４】
2005139621.tif 000006
【図５】
2005139621.tif 000007
【図６】
2005139621.tif 000008
【図７】
2005139621.tif 000009
【図８】
2005139621.tif 000010
【図９】
2005139621.tif 000011
【図１０】
2005139621.tif 000012
【図１１】
2005139621.tif 000013
【図１２】
2005139621.tif 000014
【図１３】
2005139621.tif 000015
【図１４】
2005139621.tif 000016
【図１５】
2005139621.tif 000017
【図１６】
2005139621.tif 000018
【図１７】
2005139621.tif 000019